(57)【特許請求の範囲】
【請求項１】
鍵盤シャーシと、この鍵盤シャーシ上に上下方向に回動可能に設けられた複数の鍵と、一端部が前記鍵盤シャーシに固定されて上下方向に撓み変形する弾性体を有するとともに前記鍵の上方あるいは下方への回動に伴い前記鍵の一部、または前記鍵の押鍵動作に伴って回動変位して前記鍵にアクション荷重を付与するためのハンマーアームの一部が前記弾性体の自由端に当接した後に当該弾性体を乗り越える際に生じる抵抗によりクリック感を付与するクリック感付与部材を備え、
前記クリック感付与部材は、押鍵時に前記鍵が下方に回動する行き行程で前記弾性体が当接して前記弾性体の撓み変形を規制するとともに前記鍵が上方に回動する戻り行程で前記弾性体が離間する第１の支点部及び前記鍵が上方に回動する戻り行程で前記弾性体が当接して前記弾性体の撓み変形を規制するとともに前記鍵の行き行程で前記弾性体が離間する第２の支点部をさらに有し、前記支点部が前記弾性体の自由端側に位置し、前記他の支点部が前記弾性体の固定端側に位置することを特徴とする鍵盤装置。
【請求項２】
鍵盤シャーシと、この鍵盤シャーシ上に上下方向に回動可能に設けられた複数の鍵と、一端部が前記鍵、または前記鍵の押鍵動作に伴って回動変位して前記鍵にアクション荷重を付与するためのハンマーアームに固定されて上下方向に撓み変形する弾性体を有するとともに前記鍵の上方あるいは下方への回動に伴い前記鍵盤シャーシの一部に前記弾性体の自由端が当接した後に当該弾性体を乗り越える際に生じる抵抗によりクリック感を付与するクリック感付与部材を備え、
前記クリック感付与部材は、押鍵時に前記鍵が下方に回動する行き行程で前記弾性体が当接して前記弾性体の撓み変形を規制するとともに前記鍵が上方に回動する戻り行程で前記弾性体が離間する第１の支点部及び前記鍵が上方に回動する戻り行程で前記弾性体が当接して前記弾性体の撓み変形を規制するとともに前記鍵の行き行程で前記弾性体が離間する第２の支点部をさらに有し、前記支点部が前記弾性体の自由端側に位置し、前記他の支点部が前記弾性体の固定端側に位置することを特徴とする鍵盤装置。
【請求項３】
鍵盤シャーシと、この鍵盤シャーシ上に上下方向に回動可能に設けられた複数の鍵と、相互に重ね合わされた状態で前記鍵盤シャーシに一端部が固定されて上下方向に撓み変形する第１、第２弾性体を有するとともに前記鍵の上方あるいは下方への回動に伴い前記鍵の一部、または前記鍵の押鍵動作に伴って回動変位して前記鍵にアクション荷重を付与するためのハンマーアームの一部に前記第１、第２弾性体の自由端が当接した後に当該弾性体を乗り越える際に生じる抵抗によりクリック感を付与するクリック感付与部材を備え、
前記クリック感付与部材は、押鍵時に前記鍵が下方に回動する行き行程で前記第１、第２弾性体の両者が重なり合った状態で撓み変形し、前記鍵が上方に回動する戻り行程で前記第１、第２弾性体のいずれか一方のみが撓み変形することを特徴とする鍵盤装置。
【請求項４】
鍵盤シャーシと、この鍵盤シャーシ上に上下方向に回動可能に設けられた複数の鍵と、相互に重ね合わされた状態で前記鍵、または前記鍵の押鍵動作に伴って回動変位して前記鍵にアクション荷重を付与するためのハンマーアームに一端部が固定されて上下方向に撓み変形する第１、第２弾性体を有するとともに前記鍵の上方あるいは下方への回動に伴い前記鍵盤シャーシの一部に前記第１、第２弾性体の自由端が当接した後に当該弾性体を乗り越える際に生じる抵抗によりクリック感を付与するクリック感付与部材を備え、
前記クリック感付与部材は、押鍵時に前記鍵が下方に回動する行き行程で前記第１、第２弾性体の両者が重なり合った状態で撓み変形し、前記鍵が上方に回動する戻り行程で前記第１、第２弾性体のいずれか一方のみが撓み変形することを特徴とする鍵盤装置。
【請求項５】
鍵盤シャーシと、この鍵盤シャーシ上に上下方向に回動可能に設けられた複数の鍵と、一端部が前記鍵盤シャーシに固定されて上下方向に撓み変形可能な弾性体を有し、前記鍵の上方あるいは下方への回動に伴い前記鍵の一部、または前記鍵の押鍵動作に伴って回動変位して前記鍵にアクション荷重を付与するためのハンマーアームの一部が自由端に当接した後に当該弾性体を乗り越える際に生じる抵抗によりクリック感を付与するクリック感付与部材とを備え、
前記クリック感付与部材は、押鍵時に前記鍵が下方に回動する行き行程で前記弾性体が回動して当接することにより前記弾性体を撓み変形させる支点部と、前記鍵が上方に回動する戻り行程で前記弾性体が逆方向に回動して当接することにより弾性変形する緩衝体とを有し、この緩衝体の反発力が前記弾性体の反発力よりも小さく設定されていることを特徴とする鍵盤装置。
【請求項６】
鍵盤シャーシと、この鍵盤シャーシ上に上下方向に回動可能に設けられた複数の鍵と、一端部が前記鍵、または前記鍵の押鍵動作に伴って回動変位して前記鍵にアクション荷重を付与するためのハンマーアームに固定されて上下方向に撓み変形可能である弾性体を有し、前記鍵の上方あるいは下方への回動に伴い前記鍵盤シャーシの一部が自由端に当接した後に当該弾性体を乗り越える際に生じる抵抗によりクリック感を付与するクリック感付与部材とを備え、
前記クリック感付与部材は、押鍵時に前記鍵が下方に回動する行き行程で前記弾性体が回動して当接することにより前記弾性体を撓み変形させる支点部と、前記鍵が上方に回動する戻り行程で前記弾性体が逆方向に回動して当接することにより弾性変形する緩衝体とをさらに有し、この緩衝体の反発力が前記弾性体の反発力よりも小さく設定されていることを特徴とする鍵盤装置。
【請求項７】
鍵盤シャーシと、この鍵盤シャーシ上に上下方向に回動可能に設けられた複数の鍵と、一端部が前記鍵盤シャーシに上下方向に回動可能に取り付けられる回動体を有し、前記鍵の上方あるいは下方への回動に伴い前記鍵の一部、または前記鍵の押鍵動作に伴って回動変位して前記鍵にアクション荷重を付与するためのハンマーアームの一部が自由端に当接した後に当該回動体を乗り越える際に生じる抵抗によりクリック感を付与するクリック感付与部材とを備え、
前記クリック感付与部材は、押鍵時に前記鍵が下方に回動する行き行程で前記回動体が当接して弾性変形する第１弾性体と、前記鍵が上方に回動する戻り行程で前記回動体が当接して弾性変形する第２弾性体とをさらに有し、前記第１弾性体の反発力が前記第２弾性体の反発力よりも大きいことを特徴とする鍵盤装置。
【請求項８】
鍵盤シャーシと、この鍵盤シャーシ上に上下方向に回動可能に設けられた複数の鍵と、端部が前記前記鍵の上方あるいは下方への回動に伴い鍵、または前記鍵の押鍵動作に伴って回動変位して前記鍵にアクション荷重を付与するためのハンマーアームに上下方向に回動可能に取り付けられた回動体を有し、前記鍵の上方あるいは下方への回動に伴い前記鍵盤シャーシの一部に自由端が当接した後に当該回動体を乗り越える際に生じる抵抗によりクリック感を付与する回動体と、感付与部材とを備え、
前記クリック感付与部材は、押鍵時に前記鍵が下方に回動する行き行程で前記回動体が当接して弾性変形する第１弾性体と、前記鍵が上方に回動する戻り行程で前記回動体が当接して弾性変形する第２弾性体とを有し、前記第１弾性体の反発力が前記第２弾性体の反発力よりも大きいことを特徴とする鍵盤装置。
【発明の詳細な説明】
【０００１】
【発明の属する技術分野】
この発明は、電子ピアノなどの鍵盤楽器における鍵盤装置に関する。
【０００２】
【従来の技術】
電子ピアノなどの鍵盤楽器では、アコースティックピアノの鍵タッチ感に近似した鍵タッチ感を得るために、鍵の下方に所定の重量を有するハンマーアームを上下方向に回動可能に設け、鍵の押鍵操作に伴ってハンマーアームがそれ自身の重量に抗して回動することにより、鍵に所定のアクション荷重を付与するようにしたものがある。
このような鍵盤楽器では、鍵を回動可能に支持する鍵盤シャーシにハンマーアームをただ単に回動可能に取り付けた場合、鍵に所定のアクション荷重を付与することはできるが、アコースティックピアノで得られる抜ける感じの鍵タッチ感に近似した鍵タッチ感を得ることができない。
そこで、従来では、このような鍵タッチ感が得られるように、クリック感付与手段を備えた鍵盤装置が開発されている。
【０００３】
図３９はその一例を示した図である。この鍵盤装置は、楽器ケース内に組み込まれる鍵盤シャーシ１を備えている。この鍵盤シャーシ１は、前端部（同図では左端部）１ａが凹部状に折り曲げられた上、その前端上部が更にＬ字状に折り曲げられ、かつ後端部（同図では右端部）１ｂがコ字状に折り曲げられ、前端部１ａの凹部状の部分の底部と後端部１ｂのコ字状の部分の底部とがほぼ同じ高さに形成されている。この鍵盤シャーシ１上には、合成樹脂製の複数の鍵（白鍵と黒鍵、ただしここでは黒鍵について説明する。）２が並列に配置されている。この場合、各鍵２は、その後端部（同図では右端部）の下部が鍵盤シャーシ１の後端部１ｂ上に設けられた鍵支持部３の軸４に回動自在に取り付けられ、この軸４を中心に上下方向に回動するように構成されている。
【０００４】
また、鍵２の中間部に対応する鍵盤シャーシ１上には、ハンマーアーム５を上下方向に回動自在に支持するハンマー支持軸６が設けられている。ハンマーアーム５は、上端部５ａ、中間部５ｂ、および下端部５ｃからなり、中間部５ｂがハンマー支持軸６に回動自在に支持され、下端部５ｃが鍵盤シャーシ１の開口部１ｃを通して鍵盤シャーシ１の後端部１ｂ内に配置され、この下端部５ｃに錘７が設けられ、この錘７の重量によって図３９において時計方向に付勢され、これにより上端部５ａが鍵２の下面に当接し、鍵２を上方に付勢している。また、このハンマーアーム５は、図３９に示すように、通常は錘７の重量によって下方に付勢され、下端部５ｃの先端に設けられた突起部５ｄの下面が鍵盤シャーシ１の後端部１ｂの底部上に設けられたフェルトなどの下限ストッパ８に当接し、これにより所定の下限位置に位置規制されており、また錘７の重量に抗して鍵２が押鍵された際には、ハンマーアーム５の下端部５ｃの突起部５ｄの上面が鍵盤シャーシ１の後端部１ｂの上部内面に設けられたフェルトなどの上限ストッパ９に当接し、これにより所定の上限位置に位置規制されている。
【０００５】
このハンマーアーム５の下端部５ｃの後方（同図では右方）における鍵盤シャーシ１の後端部１ｂの底部上には、鍵２にアコースティックピアノで得られる抜ける感じの鍵タッチ感に近似した鍵タッチ感を付与するクリック感付与部材１０が設けられている。このクリック感付与部材１０は、図３９および図４０に示すように、鍵盤シャーシ１の後端部１ｂの底部上に固定された合成樹脂製のローラ支持体１１を備えている。このローラ支持体１１は、各鍵２に対応する個所に板ばね部１１ａがほぼＬ字形状に形成されて上方に延び、この板ばね部１１ａの上端部にローラ１２が回転自在に取り付けられる取付枠１１ｂが形成された構造になっている。このクリック感付与部材１０は、押鍵時にハンマーアーム５の下端部５ｃに設けられた突起部５ｄの先端がローラ１２に当接した後、ローラ支持体１１の板ばね部１１ａのばね力に抗してローラ１２を乗り越えたときに、鍵２に抜ける感じの鍵タッチ感を付与する。
【０００６】
なお、各鍵２は、ハンマーアーム５によって上方に付勢されているが、通常は各鍵２の前端部に垂設されたＬ字状のストッパ片１３が鍵盤シャーシ１の前端部１ａにおける凹部状の部分の両側下面にそれぞれ設けられたフェルトなどの上限ストッパ１４に当接することにより、所定の初期位置（上限位置）に位置規制されている。また、各鍵２には、押鍵時にゴムスイッチ１５を押圧するためのスイッチ押圧部１６が設けられている。ゴムスイッチ１５は、その内部に固定接点と可動接点が２組設けられたものであり、鍵盤シャーシ１の中間部の下面に設けられた回路基板１７上に配設され、鍵盤シャーシ１の開口部１ｄを通して上方に突出し、これにより鍵２のスイッチ押圧部１６が押圧可能に離間対向している。
【０００７】
このような鍵盤装置では、ハンマーアーム５の錘７の重量に抗して鍵２が押鍵されると、鍵２がその後端部の軸４を中心に下方に回動するとともに、ハンマーアーム５がその中間部５ｂのハンマー支持軸６を中心に図３９において反時計方向に回動し、この後、鍵２のスイッチ押圧部１６がゴムスイッチ１５を押圧した後、ハンマーアーム５の突起部５ｄがクリック感付与部材１０のローラ１２を乗り越えて鍵２に抜ける感じのクリック感を与え、この後、突起部５ｄが上限ストッパ９に当接することにより、ハンマーアーム５および鍵２の回動が停止する。この後、ハンマーアーム５が錘７の重量により図３９において時計方向に回動し、上記と逆の動作を行って、鍵２が図３９に示す初期位置に戻る。
【０００８】
このときの鍵ストロークに対する鍵荷重について、図４１を参照して、詳細に説明する。まず、鍵２が押鍵されて下方に回動する行き行程では、鍵２が回動を開始するときに、ハンマーアーム５の錘７の重量が鍵２に作用するため、鍵荷重が急激に重くなり、Ａ点に到達するとハンマーアーム５の回動速度がほぼ一定になるため、鍵荷重もほぼ一定になり、この状態で鍵２が回動してＢ点に到達すると、鍵２のスイッチ押圧部１６がゴムスイッチ１５に当接して押圧するので、鍵荷重が更に重くなる。そして、鍵２が回動してＣ点に到達すると、ハンマーアーム５の下端部５ｃの突起部５ｄの先端がクリック感付与部材１０のローラ１２に当接してローラ支持体１１の板ばね部１１ａを撓ませるので、鍵荷重が急に重くなり、Ｄ点に到達するとハンマーアーム５の突起部５ｄが板ばね部１１ａのばね力に抗してローラ１２を乗り越えるので、鍵荷重が急激に軽くなる。このときに、鍵２に抜ける感じのクリック感が付与される。この後、鍵２が更に回動してＥ点に到達すると、ハンマーアーム５の突起部５ｄが上限ストッパ９に当接するので、鍵荷重が急激に重くなり、ハンマーアーム５および鍵２の回動が停止する。
【０００９】
また、鍵２が下限位置に到達して上方に回動する戻り行程では、ハンマーアーム５の錘７の重量によりハンマーアーム５が下方に回動するため、鍵荷重が急激に降下して軽くなり、行き行程でのＥ点よりも鍵荷重が軽いＦ点に到達すると、ハンマーアーム５の突起部５ｄの先端がクリック感付与部材１０のローラ１２に再び当接してローラ支持体１１の板ばね部１１ａを撓ませるので、鍵荷重が急に重くなり、Ｇ点に到達するとハンマーアーム５の突起部５ｄが板ばね部１１ａのばね力に抗してローラ１２を乗り越えるので、鍵荷重が急激に軽くなる。このときにも、鍵２にクリック感が付与される。このＧ点は行き行程のＤ点に比べて、ヒステリシスの時間差ＴHだけ遅れて発生する。そして、鍵２が回動してＨ点に到達すると、スイッチ押圧部１６がゴムスイッチ１５によって押し上げられる反発力により、鍵荷重が更に軽くなり、Ｉ点に到達するとスイッチ押圧部１６がゴムスイッチ１５から離間し、ハンマーアーム５がほぼ一定速度で回動するので、鍵荷重がほぼ一定になり、この状態でハンマーアーム５および鍵２が回動し、Ｊ点に到達するとハンマーアーム５の突起部５ｄが下限ストッパ８に当接して回動が停止するので、鍵荷重が急激に軽くなり、鍵２のストッパ片１３が上限ストッパ１４に当接して鍵２が初期位置に戻る。
【００１０】
【発明が解決しようとする課題】
しかしながら、このような鍵盤装置では、押鍵時に鍵２が下方に回動する行き行程のときに、ハンマーアーム５が上方に回動してその突起部５ｄがクリック感付与部材１０のローラ１２に当接した後、ローラ支持体１１の板ばね部１１ａのばね力に抗してローラ１２を乗り越えるので、アコースティックピアノの鍵タッチ感に近似した抜ける感じのクリック感を鍵２に付与することはできるが、ハンマーアーム５が下方へ回動して鍵２が上方に回動する戻り行程のときにも、ハンマーアーム５の突起部５ｄがローラ１２に当接して板ばね部１１ａのばね力に抗してローラ１２を乗り越えるため、鍵２にクリック感を付与してしまうことになり、本来アコースティックピアノには無い戻り行程でのクリック感が発生してしまうという問題がある。また、このように戻り行程でクリック感が発生すると、ハンマーアーム５の復帰速度が遅くなり、これに伴って鍵２の初期位置への復帰も遅くなるため、連打性が悪くなるという問題が生じる。
【００１１】
この発明の課題は、押鍵時に鍵が下方に回動する行き行程で鍵に抜ける感じの鍵タッチ感を良好に付与し、戻り行程で鍵に対するクリック感を大幅に軽減し、アコースティックピアノの鍵タッチ感に近似した鍵タッチ感が得られるようにすることである。
【００１２】
【課題を解決するための手段】
請求項１記載の発明は、鍵盤シャーシと、この鍵盤シャーシ上に上下方向に回動可能に設けられた複数の鍵と、一端部が前記鍵盤シャーシに固定されて上下方向に撓み変形する弾性体を有するとともに前記鍵の上方あるいは下方への回動に伴い前記鍵の一部、または前記鍵の押鍵動作に伴って回動変位して前記鍵にアクション荷重を付与するためのハンマーアームの一部が前記弾性体の自由端に当接した後に当該弾性体を乗り越える際に生じる抵抗によりクリック感を付与するクリック感付与部材を備え、前記クリック感付与部材は、押鍵時に前記鍵が下方に回動する行き行程で前記弾性体が当接して前記弾性体の撓み変形を規制するとともに前記鍵が上方に回動する戻り行程で前記弾性体が離間する第１の支点部及び前記鍵が上方に回動する戻り行程で前記弾性体が当接して前記弾性体の撓み変形を規制するとともに前記鍵の行き行程で前記弾性体が離間する第２の支点部をさらに有し、前記支点部が前記弾性体の自由端側に位置し、前記他の支点部が前記弾性体の固定端側に位置することを特徴とする。
また請求項２記載の発明は、鍵盤シャーシと、この鍵盤シャーシ上に上下方向に回動可能に設けられた複数の鍵と、一端部が前記鍵、または前記鍵の押鍵動作に伴って回動変位して前記鍵にアクション荷重を付与するためのハンマーアームに固定されて上下方向に撓み変形する弾性体を有するとともに前記鍵の上方あるいは下方への回動に伴い前記鍵盤シャーシの一部に前記弾性体の自由端が当接した後に当該弾性体を乗り越える際に生じる抵抗によりクリック感を付与するクリック感付与部材を備え、前記クリック感付与部材は、押鍵時に前記鍵が下方に回動する行き行程で前記弾性体が当接して前記弾性体の撓み変形を規制するとともに前記鍵が上方に回動する戻り行程で前記弾性体が離間する第１の支点部及び前記鍵が上方に回動する戻り行程で前記弾性体が当接して前記弾性体の撓み変形を規制するとともに前記鍵の行き行程で前記弾性体が離間する第２の支点部をさらに有し、前記支点部が前記弾性体の自由端側に位置し、前記他の支点部が前記弾性体の固定端側に位置することを特徴とする。
この発明によれば、押鍵時に鍵が下方に回動する行き行程では、クリック感付与部材の弾性体が支点部に当接して弾性体の撓み変形が規制され、また鍵が上方に回動する戻り行程では、クリック感付与部材の弾性体が支点部から離間して弾性体の撓み変形が支点部によって規制されないため、行き行程では弾性体が鍵に対し大きい反発力を付与し、戻り行程では弾性体が鍵に対し小さい反発力を付与することになり、これにより押鍵時の行き行程で鍵に抜ける感じの鍵タッチ感を良好に付与することができ、戻り行程で鍵に対するクリック感を大幅に軽減することができ、アコースティックピアノの鍵タッチ感に近似した鍵タッチ感を得ることができる。
【００１４】
請求項３記載の発明は、鍵盤シャーシと、この鍵盤シャーシ上に上下方向に回動可能に設けられた複数の鍵と、相互に重ね合わされた状態で前記鍵盤シャーシに一端部が固定されて上下方向に撓み変形する第１、第２弾性体を有するとともに前記鍵の上方あるいは下方への回動に伴い前記鍵の一部、または前記鍵の押鍵動作に伴って回動変位して前記鍵にアクション荷重を付与するためのハンマーアームの一部に前記第１、第２弾性体の自由端が当接した後に当該弾性体を乗り越える際に生じる抵抗によりクリック感を付与するクリック感付与部材を備え、前記クリック感付与部材は、押鍵時に前記鍵が下方に回動する行き行程で前記第１、第２弾性体の両者が重なり合った状態で撓み変形し、前記鍵が上方に回動する戻り行程で前記第１、第２弾性体のいずれか一方のみが撓み変形することを特徴とする。
また請求項４記載の発明は、鍵盤シャーシと、この鍵盤シャーシ上に上下方向に回動可能に設けられた複数の鍵と、相互に重ね合わされた状態で前記鍵、または前記鍵の押鍵動作に伴って回動変位して前記鍵にアクション荷重を付与するためのハンマーアームに一端部が固定されて上下方向に撓み変形する第１、第２弾性体を有するとともに前記鍵の上方あるいは下方への回動に伴い前記鍵盤シャーシの一部に前記第１、第２弾性体の自由端が当接した後に当該弾性体を乗り越える際に生じる抵抗によりクリック感を付与するクリック感付与部材を備え、前記クリック感付与部材は、押鍵時に前記鍵が下方に回動する行き行程で前記第１、第２弾性体の両者が重なり合った状態で撓み変形し、前記鍵が上方に回動する戻り行程で前記第１、第２弾性体のいずれか一方のみが撓み変形することを特徴とする。
この発明によれば、押鍵時に鍵が下方に回動する行き行程では、第１、第２弾性体の両者が重なり合った状態で撓み変形し、鍵が上方に回動する戻り行程では、第１、第２弾性体のいずれか一方のみが撓み変形するので、行き行程では鍵に対し大きい反発力が付与され、戻り行程では鍵に対し小さい反発力が付与されることになり、これにより押鍵時の行き行程で鍵に抜ける感じの鍵タッチ感を良好に付与することができ、戻り行程で鍵に対するクリック感を大幅に軽減することができ、アコースティックピアノの鍵タッチ感に近似した鍵タッチ感を得ることができる。
【００１５】
請求項５記載の発明は、鍵盤シャーシと、この鍵盤シャーシ上に上下方向に回動可能に設けられた複数の鍵と、一端部が前記鍵盤シャーシに固定されて上下方向に撓み変形可能な弾性体を有し、前記鍵の上方あるいは下方への回動に伴い前記鍵の一部、または前記鍵の押鍵動作に伴って回動変位して前記鍵にアクション荷重を付与するためのハンマーアームの一部が自由端に当接した後に当該弾性体を乗り越える際に生じる抵抗によりクリック感を付与するクリック感付与部材とを備え、前記クリック感付与部材は、押鍵時に前記鍵が下方に回動する行き行程で前記弾性体が回動して当接することにより前記弾性体を撓み変形させる支点部と、前記鍵が上方に回動する戻り行程で前記弾性体が逆方向に回動して当接することにより弾性変形する緩衝体とを有し、この緩衝体の反発力が前記弾性体の反発力よりも小さく設定されていることを特徴とする。
また請求項６記載の発明は、鍵盤シャーシと、この鍵盤シャーシ上に上下方向に回動可能に設けられた複数の鍵と、一端部が前記鍵、または前記鍵の押鍵動作に伴って回動変位して前記鍵にアクション荷重を付与するためのハンマーアームに固定されて上下方向に撓み変形可能である弾性体を有し、前記鍵の上方あるいは下方への回動に伴い前記鍵盤シャーシの一部が自由端に当接した後に当該弾性体を乗り越える際に生じる抵抗によりクリック感を付与するクリック感付与部材とを備え、前記クリック感付与部材は、押鍵時に前記鍵が下方に回動する行き行程で前記弾性体が回動して当接することにより前記弾性体を撓み変形させる支点部と、前記鍵が上方に回動する戻り行程で前記弾性体が逆方向に回動して当接することにより弾性変形する緩衝体とをさらに有し、この緩衝体の反発力が前記弾性体の反発力よりも小さく設定されていることを特徴とする。
この発明によれば、押鍵時に鍵が下方に回動する行き行程では、弾性体が回動して支点部に当接し、この支点部によって弾性体の撓み変形が規制され、鍵が上方に回動する戻り行程では、弾性体が逆方向に回動して弾性体よりも反発力の小さい緩衝体に当接し、弾性体が弾性変形せずに緩衝体のみを弾性変形させるので、行き行程では鍵に対し大きい反発力が付与され、戻り行程では鍵に対し小さい反発力が付与されることになり、これにより押鍵時の行き行程で鍵に抜ける感じの鍵タッチ感を良好に付与することができ、戻り行程で鍵に対するクリック感を大幅に軽減することができ、アコースティックピアノの鍵タッチ感に近似した鍵タッチ感を得ることができる。
【００１６】
請求項７記載の発明は、鍵盤シャーシと、この鍵盤シャーシ上に上下方向に回動可能に設けられた複数の鍵と、一端部が前記鍵盤シャーシに上下方向に回動可能に取り付けられる回動体を有し、前記鍵の上方あるいは下方への回動に伴い前記鍵の一部、または前記鍵の押鍵動作に伴って回動変位して前記鍵にアクション荷重を付与するためのハンマーアームの一部が自由端に当接した後に当該回動体を乗り越える際に生じる抵抗によりクリック感を付与するクリック感付与部材とを備え、前記クリック感付与部材は、押鍵時に前記鍵が下方に回動する行き行程で前記回動体が当接して弾性変形する第１弾性体と、前記鍵が上方に回動する戻り行程で前記回動体が当接して弾性変形する第２弾性体とをさらに有し、前記第１弾性体の反発力が前記第２弾性体の反発力よりも大きいことを特徴とする。
また請求項８記載の発明は、鍵盤シャーシと、この鍵盤シャーシ上に上下方向に回動可能に設けられた複数の鍵と、一端部が前記前記鍵の上方あるいは下方への回動に伴い鍵、または前記鍵の押鍵動作に伴って回動変位して前記鍵にアクション荷重を付与するためのハンマーアームに上下方向に回動可能に取り付けられた回動体を有し、前記鍵の上方あるいは下方への回動に伴い前記鍵盤シャーシの一部に自由端が当接した後に当該回動体を乗り越える際に生じる抵抗によりクリック感を付与する回動体と、感付与部材とを備え、前記クリック感付与部材は、押鍵時に前記鍵が下方に回動する行き行程で前記回動体が当接して弾性変形する第１弾性体と、前記鍵が上方に回動する戻り行程で前記回動体が当接して弾性変形する第２弾性体とを有し、前記第１弾性体の反発力が前記第２弾性体の反発力よりも大きいことを特徴とする。
この発明によれば、押鍵時に鍵が下方に回動する行き行程では、回動体が第１弾性体に当接して、第２弾性体よりも反発力の大きい第１弾性体を弾性変形させ、鍵が上方に回動する戻り行程では、回動体が第２弾性体に当接して、第１弾性体よりも反発力の小さい第２弾性体を弾性変形させるので、行き行程では鍵に対し大きい反発力が付与され、戻り行程では鍵に対し小さい反発力が付与されることになり、これにより押鍵時の行き行程で鍵に抜ける感じの鍵タッチ感を良好に付与することができ、戻り行程で鍵に対するクリック感を大幅に軽減することができ、アコースティックピアノの鍵タッチ感に近似した鍵タッチ感を得ることができる。
【００１７】
【発明の実施の形態】
［第１実施形態］
以下、図１〜図５を参照して、この発明の鍵盤装置の第１実施形態について説明する。なお、図３９〜図４１に示された従来例と同一部分には同一符号を付し、その説明は省略する。
この鍵盤装置では、クリック感付与部材２０が従来例と異なり、これ以外は従来例と同じ構成になっている。このクリック感付与部材２０は、図１に示すように、ハンマーアーム５の上限ストッパ９の後方（同図では右方）における鍵盤シャーシ１の後端部１ｂの上部内面にビス２１によって取り付けられた取付体２２を備えている。この取付体２２のハンマーアーム５側の左側面には、板ばね（弾性体）２３の一端部が固定されている。この板ばね２３は、ハンマーアーム５の下端部５ｃに設けられた突起部２４の先端が板ばね２３の自由端２３ａに上下方向から当接し、これにより上下方向に撓み変形するように構成されている。この場合、ハンマーアーム５の突起部２４は、上面側がほぼ平坦面に形成され、下面側が傾斜面に形成され、これによりハンマーアーム５が上方に回動したときに上面側の平坦面に板ばね２３の自由端２３ａが当接し、ハンマーアーム５が下方に回動したときに下面側の傾斜面に沿って板ばね２３の自由端２３ａが接触しながら当接するように構成されている。
【００１８】
また、この取付体２２のハンマーアーム５側の左側面には、第１支点部２５が板ばね２３の上側に位置して設けられているとともに、第２支点部２６が板ばね２３の下側に位置して設けられている。第１支点部２５は、図２（ａ）に示すように、第２支点部２６よりも長く形成され、その先端部が板ばね２３の自由端２３ａ側の上面に当接し、板ばね２３の撓み変形を規制する。第２支点部２６は、第１支点部２５よりも短く形成され、その先端部が板ばね２３の固定端側の下面に当接し、板ばね２３の撓み変形を規制する。
この場合、板ばね２３と第１、第２支点部２５、２６との関係は、図２（ａ）に示すように、板ばね２３の長さをＬ、第１支点部２４の長さをＬａ、第２支点部２５の長さをＬｂとしたとき、Ｌ＜Ｌａ＜Ｌｂの関係に設定されている。
また、板ばね２３が弾性変形する際の弾性エネルギＵは、原理的には、図２（ｂ）に示すように、板ばね２３の長さをＬ、第１、第２支点部２５、２６に相当する支点をＳ、この支点Ｓから板ばね２３の自由端までの距離をａ、支点Ｓから板ばね２３の固定端までの距離をｂとしたとき、
Ｕ＝｛ａ2（４Ｌ−ｂ）／１２ＥＩ｝×Ｐ
で表される。ただし、Ｐは板ばね２３の自由端に作用する荷重であり、ＥＩは弾性定数であり、Ｅはヤング係数（縦弾性係数）、Ｉは断面二次モーメントである。
【００１９】
このような鍵盤装置では、従来例と同様、ハンマーアーム５の錘７の重量に抗して鍵２が押鍵されると、鍵２が軸４を中心に下方に回動するとともに、ハンマーアーム５がハンマー支持軸６を中心に図１において反時計方向に回動した後、鍵２のスイッチ押圧部１６がゴムスイッチ１５を押圧する。この後、図３（ａ）に示すように、ハンマーアーム５の突起部２４がクリック感付与部材２０の板ばね２３の自由端２３ａに下方から当接し、これにより板ばね２３の自由端２３ａ側が押し上げられ、図３（ｂ）に示すように、板ばね２３が第１支点部２５に当接して撓み変形し、この板ばね２３の撓み力に応じた反発力がハンマーアーム５を介して鍵２に付与される。このときには、第１支点部２５の長さＬａが第２支点部２６の長さＬｂよりも長く、板ばね２３の自由端２３ａ側に位置しているので、板ばね２３の反発力が大きい。このため、図５のＣ点からＤ点に示すように、鍵荷重が急激に重くなる。そして、図３（ｃ）に示すように、ハンマーアーム５の突起部２４が板ばね２３の自由端２３ａを乗り越えると、図５のＤ点からＥ点に示すように、鍵荷重は急激に軽くなる。これにより、鍵２に抜ける感じのクリック感が与えられる。この後、板ばね２３は元の状態に戻り、ハンマーアーム５の突起部２４の上面が上限ストッパ９に当接して、ハンマーアーム５および鍵２の回動が停止する。
【００２０】
この後、ハンマーアーム５が錘７の重量により図１において時計方向に回動すると、これに伴って鍵２が上方に回動し、図４（ａ）に示すように、ハンマーアーム５の突起部２４が再び板ばね２３の自由端２３ａに上方から当接する。このときには、突起部２４の下面側の傾斜面に沿って板ばね２３の自由端２３ａが当接し、この突起部２４によって板ばね２３の自由端２３ａが押し下げられる。すると、図４（ｂ）に示すように、板ばね２３が第１支点部２５から離間して下側の第２支点２６に当接して撓み変形し、この板ばね２３の撓み力に応じた反発力がハンマーアーム５を介して鍵２に付与される。このときには、第２支点部２６の長さＬｂが第１支点部２５の長さＬａよりも短く、板ばね２３の固定端側に位置しているので、板ばね２３の反発力が小さい。このため、図５のＦ点からＧ点に示すように、鍵荷重は僅かに重くなる。そして、ハンマーアーム５の突起部２４が板ばね２３の自由端２３ａを乗り越えても、板ばね２３の反発力が小さいため、鍵２には僅かにクリック感が付与される。なお、この後は、従来例と同様、ハンマーアーム５および鍵２が回動して図１に示す初期位置に戻る。
【００２０】
このように、この鍵盤装置では、押鍵時に鍵２が下方に回動する行き行程では、クリック感付与部材２０の板ばね２３が第１支点部２５に当接して撓み変形が規制され、また鍵２が上方に回動する戻り行程では、板ばね２３が第１支点部２５から離間して第２支点部２６に当接して撓み変形が規制されるが、第１支点部２５の長さＬａが第２支点部２６の長さＬｂよりも長く、第１支点部２５の先端部が板ばね２３の自由端２３ａ側に位置し、第２支点部２６の先端部が板ばね２３の固定端側に位置しているため、行き行程では板ばね２３がハンマーアーム５を介して鍵２に対し大きい反発力を付与し、戻り行程では板ばね２３がハンマーアーム５を介して鍵２に対し小さい反発力を付与することになり、これにより押鍵時の行き行程で鍵２に抜ける感じの鍵タッチ感を付与することができ、戻り行程では鍵２に対するクリック感が大幅に軽減されるため、アコースティックピアノの鍵タッチ感に近似した鍵タッチ感を得ることができる。また、戻り行程でクリック感が大幅に軽減されるため、ハンマーアーム５の復帰速度が従来のように遅くなることがなく、これに伴って鍵２の初期位置への復帰が早くなり、連打性が向上する。
【００２１】
なお、上記第１実施形態では、ハンマーアーム５の突起部２４でクリック感付与部材２０の板ばね２３を撓ませるようにしたが、これに限らず、例えば図６に示す第１変形例のように、鍵２の後端部に突起部２７を設け、この突起部２７でクリック感付与部材２０の板ばね２３を上下方向に撓ませるようにしてもよい。この場合には、鍵盤シャーシ１の後端部１ｂ上に支持部材２８を設け、この支持部材２８にクリック感付与部材２０の取付体２２を取り付ければ良い。このようにしても、第１実施形態と同様の作用効果があることは言うまでもない。
【００２２】
また、上記第１実施形態では、クリック感付与部材２０が第１、第２支点部２５、２６の両者を備えた構成になっているが、これに限らず、例えば図７に示す第２変形例のように、クリック感付与部材３０が第１支点部２５のみを備えた構成であっても良い。このような構成であれば、押鍵時に鍵２が下方に回動する行き行程のときには、第１実施形態と同様、板ばね２３が第１支点部２５に当接して撓み変形が規制され、鍵２にクリック感を良好に付与することができ、鍵２が上方に回動する戻り行程では、第２支点部２６がないため、第１実施形態のときよりも、さらに鍵２に対するクリック感を軽減することができる。
【００２３】
また、上記第１実施形態および上記第２変形例では、クリック感付与部材２０、３０を鍵盤シャーシ１に設けた場合について述べたが、これに限らず、例えば図８に示す第３変形例のように、クリック感付与部材２０、３０（同図ではクリック感付与部材３０のみを示す）をハンマーアーム５の後端部に取り付け、鍵盤シャーシ１の後端部１ｂに板ばね２３の自由端２３ａに当接して板ばね２３を上下方向に撓ませる突起部材３１を設けた構成でも良い。この場合には、クリック感付与部材３０を上下反転、つまり第１支点部２５が板ばね２３の下側に位置するようにして、ハンマーアーム５の後端部に取り付ければ良い。このようにしても、第２変形例と同様の作用効果があることは言うまでもない。
【００２４】
さらに、上記第３変形例に限らず、例えば図９に示す第４変形例のように、クリック感付与部材３０を鍵２の後端部に取り付け、鍵盤シャーシ１の後端部１ｂ上に支持部材２８を設け、この支持部材２８に板ばね２３の自由端２３ａに当接して板ばね２３を上下方向に撓ませる突起部３２を設けた構成でも良い。この場合にも、第３変形例と同様、クリック感付与部材３０を上下反転させて、鍵２の後端部に取り付ければ良い。このようにしても、第３変形例と同様の作用効果があることは言うまでもない。
【００２５】
［第２実施形態］
次に、図１０〜図１３を参照して、この発明の鍵盤装置の第２実施形態について説明する。この場合には、図１〜図５に示された第１実施形態と同一部分には同一符号を付し、その説明は省略する。
この鍵盤装置では、クリック感付与部材３５が第１実施形態と異なり、これ以外は第１実施形態と同じ構成になっている。このクリック感付与部材３５は、図１０に示すように、ハンマーアーム５の上限ストッパ９の後方（同図では右方）における鍵盤シャーシ１の後端部１ｂの上部内面にビス３６によって取り付けられた取付体３７を備えている。この取付体３７のハンマーアーム５側の左側面の下部には、取付部３７ａが突出して設けられており、この取付部３７ａの上面には、板ばね（弾性体）３８の一端部が固定されている。
【００２６】
この板ばね３８は、固定された一端部が取付部３７ａの上方でハンマーアーム５側に向けて鋭角に折り曲げられ、その先端側の自由端３８ａが斜め下方に向けて傾斜した構成になっている。すなわち、この板ばね３８は、ハンマーアーム５の突起部２４の先端が板ばね３８の自由端３８ａに上下方から当接し、これにより上下方向に撓み変形するものであり、図１１に示すように、板ばね３８が上方に撓むときの撓み角度θ１が下方に撓むときの撓み角度θ２よりも大きくなるよう（θ１＞θ２）に設定された構成になっている。この場合、取付部３７ａの先端上面は、板ばね３８が下方に撓んでも、板ばね３８の自由端３８ａ側が接触しないように傾斜面３７ｂに形成されている。
【００２７】
このような鍵盤装置では、従来例と同様、ハンマーアーム５の錘７の重量に抗して鍵２が押鍵されると、鍵２が軸４を中心に下方に回動するとともに、ハンマーアーム５がハンマー支持軸６を中心に図１０において反時計方向に回動した後、鍵２のスイッチ押圧部１６がゴムスイッチ１５を押圧する。この後、図１２（ａ）に示すように、ハンマーアーム５の突起部２４がクリック感付与部材３５の板ばね３８の自由端３８ａに下方から当接し、これにより板ばね３８の自由端３８ａ側が押し上げられ、図１２（ｂ）に示すように、板ばね３８が上方に撓み、この板ばね２３の撓み力に応じた反発力がハンマーアーム５を介して鍵２に付与される。このときには、板ばね３８の自由端３８ａ側が下方に向けて傾斜しているため、板ばね３８の撓み角度θ１が大きく、板ばね３８の反発力が大きい。このため、図１３のＣ点からＤ点に示すように、鍵荷重が急激に重くなる。そして、図１２（ｃ）に示すように、ハンマーアーム５の突起部２４が板ばね３８の自由端３８ａを乗り越えると、図１３のＤ点からＥ点に示すように、鍵荷重は急激に軽くなる。これにより、鍵２に抜ける感じのクリック感が与えられる。この後、板ばね３８は元の状態に戻り、ハンマーアーム５の突起部２４が上限ストッパ９に当接して、ハンマーアーム５および鍵２の回動が停止する。
【００２８】
この後、ハンマーアーム５が錘７の重量により図１０において時計方向に回動すると、これに伴って鍵２が上方に回動し、図１２（ｄ）に示すように、ハンマーアーム５の突起部２４が再び板ばね３８の自由端３８ａに上方から当接すると、板ばね３８の自由端３８ａ側が押し下げられ、これにより板ばね３８が下方に撓み、この板ばね３８の撓み力に応じた反発力が鍵２に付与される。このときには、板ばね３８の撓み角度θ２が小さいため、板ばね３８の反発力は小さい。このため、図１３のＦ点からＧ点に示すように、鍵荷重が僅かに重くなる。そして、ハンマーアーム５の突起部２４が板ばね３８の自由端３８ａを乗り越えても、板ばね３８の反発力が小さいため、鍵２には僅かにクリック感が付与される。なお、この後は、従来例と同様に、ハンマーアーム５および鍵２が回動して図１０に示す初期位置に戻る。
【００２９】
このように、この鍵盤装置では、クリック感付与部材３５の板ばね３８が鋭角に折り曲げられて、その自由端３８ａ側が斜め下方に向いて傾斜しているので、押鍵時に鍵２が下方に回動する行き行程では、ハンマーアーム５の突起部２４によるクリック感付与部材３５の板ばね３８の上方への撓み角度θ１が大きく、また鍵２が上方に回動する戻り行程では、ハンマーアーム５の突起部２４による板ばね２３の下方への撓み角度θ２が小さいため、行き行程では板ばね３８がハンマーアーム５を介して鍵２に対し大きい反発力を付与し、戻り行程では板ばね３８がハンマーアーム５を介して鍵２に対し小さい反発力を付与することになり、これにより押鍵時の行き行程で鍵２に抜ける感じの鍵タッチ感を良好に付与することができ、戻り行程では鍵２に対するクリック感が大幅に軽減されるため、アコースティックピアノの鍵タッチ感に近似した鍵タッチ感を得ることができる。また、戻り行程でクリック感が軽減されるため、第１実施形態と同様、ハンマーアーム５の復帰速度が従来のように遅くなることがなく、これに伴って鍵２の初期位置への復帰も早くなり、連打性が向上する。
【００３０】
なお、上記第２実施形態では、ハンマーアーム５の突起部２４でクリック感付与部材３５の板ばね３８を撓ませるようにしたが、これに限らず、例えば図１４に示す第１変形例のように、鍵２の後端部に突起部２７を設け、この突起部２７でクリック感付与部材３５の板ばね３８を上下方向に撓ませるようにしてもよい。この場合には、鍵盤シャーシ１の後端部１ｂ上に支持部材２８を設け、この支持部材２８にクリック感付与部材３５の取付体３７を取り付ければ良い。このようにしても、第２実施形態と同様の作用効果があることは言うまでもない。
【００３１】
また、上記第２実施形態では、クリック感付与部材３５を鍵盤シャーシ１側に設けた場合について述べたが、これに限らず、例えば図１５に示す第２変形例のように、クリック感付与部材３５をハンマーアーム５の後端部に取り付け、鍵盤シャーシ１の後端部１ｂに板ばね３８の自由端３８ａに当接して板ばね３８を上下方向に撓ませる突起部材３１を設けた構成でも良い。この場合には、クリック感付与部材３５を上下反転、つまり板ばね３８の自由端３８ａが上方に向いて傾斜するように、ハンマーアーム５の後端部に取り付ければ良い。このようにしても、第２実施形態と同様の作用効果があることは言うまでもない。
【００３２】
さらに、上記第２変形例に限らず、例えば図１６に示す第３変形例のように、クリック感付与部材３５を鍵２の後端部に取り付け、鍵盤シャーシ１の後端部１ｂ上に支持部材２８を設け、この支持部材２８に板ばね３８の自由端３８ａに当接して板ばね３８を上下方向に撓ませる突起部３２を設けた構成でも良い。この場合にも、第２変形例と同様、クリック感付与部材３５を上下反転させて鍵２の後端部に取り付ければ良い。このようにしても、第２変形例と同様の作用効果があることは言うまでもない。
【００３３】
［第３実施形態］
次に、図１７〜図２０を参照して、この発明の鍵盤装置の第３実施形態について説明する。この場合にも、図１〜図５に示された第１実施形態と同一部分には同一符号を付し、その説明は省略する。
この鍵盤装置では、クリック感付与部材４０が第１実施形態と異なり、これ以外は第１実施形態と同じ構成になっている。このクリック感付与部材４０は、図１７に示すように、ハンマーアーム５の上限ストッパ９の後方（同図では右方）における鍵盤シャーシ１の後端部１ｂの上部内面にビス４１によって取り付けられた取付体４２を備えている。この取付体４２のハンマーアーム５側の左側面には、第１板ばね部（第１弾性体）４３と第２板ばね部（第２弾性体）４４とが上下に重なり合った状態で、その一端部が固定されている。すなわち、第１、第２板ばね部４３、４４は、図１８（ａ）および（ｂ）に示すように、１枚の帯状板４５を２つに折り曲げて上下に重ね合わせ、この状態で折り曲げられた一端部が取付体４２の取付孔４２ａに挿入されて固定されている。この場合、第１、第２板ばね部４３、４４の各幅Ｄは同じ幅で形成されており、下側の第１板ばね部４３の長さＬａは上側の第２板ばね部４４の長さＬｂよりも少し長く（Ｌａ＞Ｌｂ）形成され、これにより第１板ばね部４３の自由端４３ａが第２板ばね部４４の自由端よりも少し長く突出し、この突出した自由端４３ａにハンマーアーム５の下端部５ｃに設けられた突起部２４の先端部が上下方向から当接するように構成されている。
【００３４】
このような鍵盤装置では、従来例と同様、ハンマーアーム５の錘７の重量に抗して鍵２が押鍵されると、鍵２が軸４を中心に下方に回動するとともに、ハンマーアーム５がハンマー支持軸６を中心に図１７において反時計方向に回動した後、鍵２のスイッチ押圧部１６がゴムスイッチ１５を押圧する。この後、図１９（ａ）に示すように、ハンマーアーム５の突起部２４がクリック感付与部材４０の第１板ばね部４３の自由端４３ａに下方から当接すると、図１９（ｂ）に示すように、第１板ばね部４３の自由端４３ａ側が押し上げられるとともに、第２板ばね部４４の自由端側も押し上げられる。このため、第１、第２板ばね部４３、４４が重なり合った状態で上方に撓むことになり、これら第１、第２板ばね部４３、４４の両者の撓み力に応じた反発力がハンマーアーム５を介して鍵２に付与される。このため、図２０のＣ点からＤ点に示すように、鍵荷重が急激に重くなる。そして、ハンマーアーム５の突起部２４が第１板ばね部４３の自由端４３ａを乗り越えると、図２０のＤ点からＥ点に示すように、鍵荷重が急激に軽くなる。これにより、鍵２に抜ける感じのクリック感が与えられる。この後、第１、第２板ばね部４３、４４は元の状態に戻り、ハンマーアーム５の突起部２４が上限ストッパ９に当接して、ハンマーアーム５および鍵２の回動が停止する。
【００３５】
この後、ハンマーアーム５が錘７の重量により図１７において時計方向に回動すると、これに伴って鍵２が上方に回動し、図１９（ｃ）に示すように、ハンマーアーム５の突起部２４が再び第１板ばね部４３の自由端４３ａに上方から当接すると、この第１板ばね部４３の自由端４３ａが押し下げられる。このときには、第１板ばね部４３のみが下方に向けて撓んで第２板ばね部４４から離間するので、第２板ばね部４４は撓み変形することがない。このため、第１板ばね部４３の撓み力のみに応じた反発力がハンマーアーム５を介して鍵２に付与されることになり、図２０にＦ点からＧ点に示すように、第１、第２板ばね部４３、４４による鍵荷重が行き行程での鍵荷重よりもかなり軽くなる。そして、ハンマーアーム５の突起部２４が第１板ばね部４３の自由端４３ａを乗り越えるときに、鍵２に僅かにクリック感が付与される。なお、この後は、従来例と同様に、ハンマーアーム５および鍵２が回動して図１７に示す初期位置に戻る。
【００３６】
このように、この鍵盤装置では、クリック感付与部材４０が第１板ばね部４３と第２板ばね部４４とを重ね合わせるとともに、第１板ばね部４３の長さＬａを第２板ばね部４４の長さＬｂよりも長く形成した構造であるから、押鍵時に鍵２が下方に回動する行き行程では、クリック感付与部材４０の第１、第２板ばね部４３、４４の両者が上方へ撓むことになり、また鍵２が上方に回動する戻り行程では、第１板ばね部４３のみが下方へ撓み、第２板ばね部４４が撓むことがないため、行き行程では第１、第２板ばね部４３、４４の両者がハンマーアーム５を介して鍵２に対し大きい反発力を付与し、戻り行程では第１、第２板ばね部４３、４４のうち、第１板ばね部４３のみがハンマーアーム５を介して鍵２に対し小さい反発力を付与することになり、これにより押鍵時の行き行程で鍵２に抜ける感じの鍵タッチ感を付与することができ、戻り行程では鍵２に対するクリック感が大幅に軽減されるため、アコースティックピアノの鍵タッチ感に近似した鍵タッチ感を得ることができる。また、戻り行程でクリック感が軽減されるため、第１実施形態と同様、ハンマーアーム５の復帰速度が従来のように遅くなることがなく、これに伴って鍵２の初期位置への復帰が早くなり、連打性が向上する。
【００３７】
なお、上記第３実施形態では、ハンマーアーム５の突起部２４がクリック感付与部材４０の第１板ばね部４３の自由端４３ａに当接するようにしたが、これに限らず、例えば図２１に示す第１変形例のように、鍵２の後端部に突起部２７を設け、この突起部２７がクリック感付与部材４０の第１板ばね部４３の自由端４３ａに上下方向から当接して、第１板ばね部４３を撓ませるようにしてもよい。この場合には、鍵盤シャーシ１の後端部１ｂ上に支持部材２８を設け、この支持部材２８にクリック感付与部材４０の取付体４２を取り付ければ良い。このようにしても、第３実施形態と同様の作用効果があることは言うまでもない。
【００３８】
また、上記第３実施形態では、クリック感付与部材４０を鍵盤シャーシ１側に設けた場合について述べたが、これに限らず、例えば図２２に示す第２変形例のように、クリック感付与部材４０をハンマーアーム５の後端部に取り付け、鍵盤シャーシ１の後端部１ｂに第１板ばね部４３の自由端４３ａに上下方向から当接して少なくとも第１板ばね部４３を撓ませる突起部材３１を設けた構成でも良い。この場合には、クリック感付与部材４０を上下反転、つまり第１板ばね部４３の下側に第２板ばね部４４を配置させた状態で、ハンマーアーム５の後端部に取り付ければ良い。このようにしても、第３実施形態と同様の作用効果があることは言うまでもない。
【００３９】
さらに、上記第２変形例に限らず、例えば図２３に示す第３変形例のように、クリック感付与部材４０を鍵２の後端部に取り付け、鍵盤シャーシ１の後端部１ｂ上に支持部材２８を設け、この支持部材２８に第１板ばね部４３の自由端４３ａに上下方向から当接して少なくとも第１板ばね部４３を撓ませる突起部３２を設けた構成でも良い。この場合にも、第２変形例と同様、クリック感付与部材４０を上下反転させて鍵２の後端部に取り付ければ良い。このようにしても、第２変形例と同様の作用効果があることは言うまでもない。
【００４０】
なおまた、上記第３実施形態では、第１、第２板ばね部４３、４４の各幅Ｄを同じ幅で形成したが、これに限らず、例えば図２４に示す第４変形例のように、第２板ばね部４４の幅Ｄｂを第１板ばね部４３の幅Ｄａよりも大きく（Ｄｂ＞Ｄａ）して、第２板ばね部４４の反発力を第１板ばね部４３の反発力よりも大きく形成してもよく、また第２板ばね部４４の板厚を第１板ばね４３の板厚よりも厚くして、第２板ばね部４４の反発力を第１板ばね部４３の反発力よりも大きく形成してもよい。このようにすれば、行き行程と戻り行程とで、第１、第２板ばね部４３、４４による鍵荷重の差を第３実施形態のもよりも大きくすることができ、第３実施形態のものよりも、アコースティックピアノの鍵タッチ感に近似した鍵タッチ感を得ることができる。
【００４１】
さらに、上記第３実施形態では、クリック感付与部材４０の第１、第２板ばね部４３、４４が１枚の帯状板４５を２つに折り曲げた構造になっているが、これに限らず、例えば図２５に示す第５変形例のように、第１、第２板ばね部４３、４４をそれぞれ別々に形成して重ね合わせ、その両者の同一の一端部を取付体４２に固定した構造であっても良い。このようにすれば、第１、第２板ばね部４３、４４をそれぞれ異なる材料で形成できるとともに、両者を自由な形状に形成することもでき、より一層、アコースティックピアノの鍵タッチ感に近似した鍵タッチ感を得ることができる。
【００４２】
［第４実施形態］
次に、図２６〜図２９を参照して、この発明の鍵盤装置の第４実施形態について説明する。この場合にも、図１〜図５に示された第１実施形態と同一部分には同一符号を付し、その説明は省略する。
この鍵盤装置でも、クリック感付与部材４６が第１実施形態と異なり、これ以外は第１実施形態と同じ構成になっている。このクリック感付与部材４６は、図２６に示すように、ハンマーアーム５の上限ストッパ９の後方（同図では右方）における鍵盤シャーシ１の後端部１ｂの上部内面にビス４７によって取り付けられた取付体４８を備えている。この取付体４８には、図２６および図２７に示すように、取付凹部４８ａがハンマーアーム５側に開放されて設けられており、この取付凹部４８ａ内には、ばね支持部４９が設けられている。このばね支持部４９には、板ばね（弾性体）５０の一端部が軸４９ａにより上下方向に回動自在に取り付けられている。
【００４３】
この板ばね５０は、上下方向に撓み変形可能なものであり、図２７に示すように、その自由端５０ａが取付凹部４８ａ内からハンマーアーム５側に突出し、この突出した自由端５０ａにハンマーアーム５の突起部２４が上下方向から当接するように構成されている。また、取付体４８には、支点部５１が板ばね５０の自由端５０ａ側における上方に位置して設けられており、また取付体４８の取付凹部５１は、板ばね５０が上方に回動したときに当接して板ばね５０の撓み変形を規制する。また、緩衝体５２は、板ばね５０を自由状態で所定位置に支持するためのものであり、スポンジやゴムなどの弾性材料からなり、板ばね５０の反発力よりも小さく、例えば板ばね５０を所定位置に支持する程度の弾力（反発力）に設定され、板ばね５０によって押圧されると収縮変形する構造になっている。
【００４４】
このような鍵盤装置では、従来例と同様、ハンマーアーム５の錘７の重量に抗して鍵２が押鍵されると、鍵２が軸４を中心に下方に回動するとともに、ハンマーアーム５がハンマー支持軸６を中心に図２６において反時計方向に回動し、鍵２のスイッチ押圧部１６がゴムスイッチ１５を押圧する。この後、図２８（ａ）に示すように、ハンマーアーム５の突起部２４がクリック感付与部材４６の板ばね５０の自由端５０ａに下方から当接すると、図２８（ｂ）に示すように、板ばね５０がばね支持部４９の軸４９ａを中心に上方に回動して支点部５１に当接し、これにより板ばね５０が撓み、この撓み力に応じた反発力がハンマーアーム５を介して鍵２に付与される。これにより、図２９のＣ点からＤ点に示すように、鍵荷重が急激に重くなる。そして、ハンマーアーム５の突起部２４が板ばね５０の自由端５０ａを乗り越えると、図２９のＤ点からＥ点に示すように、鍵荷重が急激に軽くなる。これにより、鍵２に抜ける感じのクリック感を与えられる。この後、図２８（ｃ）に示すように、板ばね５０はその反動および自重によりばね支持部４９の軸４９ａを中心に下方に回動して元の状態に戻り、ハンマーアーム５の突起部２４が上限ストッパ９に当接して、ハンマーアーム５および鍵２の回動が停止する。
【００４５】
この後、ハンマーアーム５が錘７の重量により図２６において時計方向に回動すると、これに伴って鍵２が上方に回動し、図２８（ｄ）に示すように、ハンマーアーム５の突起部２４が再び板ばね５０の自由端５０ａに上方から当接すると、この板ばね５０がばね支持部４９の軸４９ａを中心に下方に回動し、この板ばね５０が緩衝体５２を押圧して収縮変形させる。このときには、緩衝体５２の反発力が板ばね５０の反発力よりも小さいので、板ばね５０は撓み変形することがなく、緩衝体５２の収縮変形により板ばね５０の反発力が吸収されることなり、板ばね５０の反発力が鍵２に付与されない。このため、図２９のＦ点からＨ点に示すように、鍵荷重が重くならない。そして、ハンマーアーム５の突起部２４が板ばね５０の自由端５０ａを乗り越えても、鍵２にクリック感が付与されることがない。なお、この後は、従来例と同様に、ハンマーアーム５および鍵２が回動して図２６に示す初期位置に戻る。
【００４６】
このように、この鍵盤装置では、クリック感付与部材４６の板ばね５０が押し上げられたときに支点部５１に当接して撓み、板ばね５０が押し下げられたときに緩衝体５２に当接して緩衝体５２を収縮変形させるので、行き行程では板ばね５０がハンマーアーム５を介して鍵２に対し大きい反発力を付与し、戻り行程では板ばね５０が撓み変形せずに緩衝体５２が収縮変形するので、鍵２に対し反発力が付与されることがない。このため、押鍵時の行き行程では鍵２に抜ける感じの鍵タッチ感を付与することができ、戻り行程では鍵２に対するクリック感はほとんどないため、アコースティックピアノの鍵タッチ感に近似した鍵タッチ感を得ることができる。また、戻り行程でクリック感が軽減されるため、第１実施形態と同様、ハンマーアーム５の復帰速度が従来のように遅くなることがなく、これに伴って鍵２の初期位置への復帰が早くなり、連打性が向上する。
【００４７】
なお、上記第４実施形態では、ハンマーアーム５の突起部２４でクリック感付与部材４６の板ばね５０を上下方向に回動させるようにしたが、これに限らず、例えば図３０に示す第１変形例のように、鍵２の後端部に突起部２７を設け、この突起部２７でクリック感付与部材４６の板ばね５０を上下方向に回動させるようにしてもよい。この場合には、鍵盤シャーシ１の後端部１ｂ上に支持部材２８を設け、この支持部材２８にクリック感付与部材４６の取付体４８を取り付ければ良い。このようにしても、第４実施形態と同様の作用効果があることは言うまでもない。
【００４８】
また、上記第４実施形態では、クリック感付与部材４６を鍵盤シャーシ１側に設けた場合について述べたが、これに限らず、例えばクリック感付与部材４６をハンマーアーム５の後端部に取り付け、鍵盤シャーシ１の後端部１ｂに板ばね５０の自由端５０ａに当接して板ばね５０を上下方向に回動させる突起部材３１（図８参照）を設けた構成でも良く、またクリック感付与部材４６を鍵２の後端部に取り付け、鍵盤シャーシ１の後端部１ｂ上に支持部材２８（図９参照）を設け、この支持部材２８に板ばね５０の自由端５０ａに当接して板ばね５０を上下方向に撓ませる突起部３２を設けた構成でも良い。いずれの場合にも、クリック感付与部材４６を上下反転、つまり板ばね５０の下側に支点部５１が配置され、板ばね５０の上方に緩衝体５２を配置させた状態で、ハンマーアーム５の後端部に取り付ければ良く、また板ばね５０が回動して取付凹部４８ａ内で当接しなければ、必ずしも緩衝体５２を設ける必要はない。このようにしても、第４実施形態とほぼ同様の作用効果があることは言うまでもない。
【００４９】
［第５実施形態］
次に、図３１〜図３５を参照して、この発明の鍵盤装置の第５実施形態について説明する。この場合にも、図１〜図５に示された第１実施形態と同一部分には同一符号を付し、その説明は省略する。
この鍵盤装置でも、クリック感付与部材５５が第１実施形態と異なり、これ以外は第１実施形態と同じ構成になっている。このクリック感付与部材５５は、図３１に示すように、ハンマーアーム５の上限ストッパ９の後方（同図では右方）における鍵盤シャーシ１の後端部１ｂの上部内面にビス５６によって取り付けられた取付体５７を備えている。この取付体５７のハンマーアーム５側の左側面には、図３２に示すように、取付凹部５７ａが設けられており、この取付凹部５７ａ内には支持部５８が設けられている。この支持部５８には、回動板（回動体）５９の一端部が軸５８ａにより上下方向に回動自在に取り付けられている。
【００５０】
この回動板５９は、板状に形成されており、その先端側の自由端５９ａが取付体５７の取付凹部５７ａ内からハンマーアーム５側に突出し、この突出した自由端５９ａにハンマーアーム５の突起部２４が上下方向から当接するように構成されている。また、取付体５７の取付凹部５７ａ内には、第１弾性体６０が回動板５９の上側に位置して設けられているとともに、第２弾性体６１が回動板５９の下側に位置して設けられている。この場合、第１、第２弾性体６０、６１は、回動板５９の上下方向への回動に応じて収縮変形するものであり、第１弾性体６０の反発力が第２弾性体６１の反発力よりも大きく設定されている。
【００５１】
このような鍵盤装置でも、従来例と同様、ハンマーアーム５の錘７の重量に抗して鍵２が押鍵されると、鍵２が軸４を中心に下方に回動するとともに、ハンマーアーム５がハンマー支持軸６を中心に図３１において反時計方向に回動して、鍵２のスイッチ押圧部１６がゴムスイッチ１５を押圧する。この後、図３３（ａ）に示すように、ハンマーアーム５の突起部２４がクリック感付与部材５５の回動板５９の自由端５９ａに下方から当接すると、図３３（ｂ）に示すように、回動板５９が支持部５８の軸５８ａを中心に上方に回動して上側の第１弾性体６０に当接し、この第１弾性体６０を回動板５９が押圧して収縮変形させ、この圧縮変形力に応じた反発力がハンマーアーム５を介して鍵２に付与される。これにより、図３５のＣ点からＤ点に示すように、鍵荷重が急激に重くなる。そして、ハンマーアーム５の突起部２４が回動板５９の自由端５９ａを乗り越えると、図３５のＤ点からＥ点に示すように、鍵荷重が急激に軽くなり、これにより鍵２に抜ける感じのクリック感が与えられる。この後、図３３（ｃ）に示すように、回動板５９はその反動および自重で支持部５８の軸５８ａを中心に下方に回動して元の状態に戻り、ハンマーアーム５の突起部２４が上限ストッパ９に当接して、ハンマーアーム５および鍵２の回動が停止する。
【００５２】
この後、ハンマーアーム５が錘７の重量により図３１において時計方向に回動すると、これに伴って鍵２が上方に回動し、図３４（ａ）に示すように、ハンマーアーム５の突起部２４が再び回動板５９の自由端５９ａに上方から当接すると、この回動板５９が支持部５８の軸５８ａを中心に下方に回動し、この回動板５９が第２弾性体６１を押圧して圧縮変形させる。このときには、第２弾性体６１の反発力が第１弾性体６０の反発力よりも小さいので、第２弾性体６１の反発力がハンマーアーム５を介して鍵２にほとんど付与されることがない。このため、図３５のＦ点からＨ点に示すように、鍵荷重が重くならない。そして、ハンマーアーム５の突起部２４が回動板５９の自由端５９ａを乗り越えるときに、鍵２にほとんどクリック感が付与されない。なお、この後は、従来例と同様に、ハンマーアーム５および鍵２が回動して図３１に示す初期位置に戻る。
【００５３】
このように、この鍵盤装置では、回動板５９が押し上げられたときにクリック感付与部材５５の第１弾性体６０を収縮変形させ、回動板５９が押し下げられたときに第２弾性体６１を収縮変形させるが、第１弾性体６０の反発力が第２弾性体６１の反発力よりも大きく設定されているので、行き行程では第１弾性体６０がハンマーアーム５を介して鍵２に大きい反発力を付与し、戻り行程では第２弾性体６１がハンマーアーム５を介して鍵２に小さい反発力を付与することになり、このため押鍵時の行き行程では鍵２に抜ける感じの鍵タッチ感を付与することができ、戻り行程では鍵２に対するクリック感が大幅に軽減されるため、アコースティックピアノの鍵タッチ感に近似した鍵タッチ感を得ることができる。この場合にも、戻り行程でクリック感が軽減されるため、第１実施形態と同様、ハンマーアーム５の復帰速度が従来のように遅くなることがなく、これに伴って鍵２の初期位置への復帰が早くなり、連打性が向上する。
【００５４】
なお、上記第５実施形態では、ハンマーアーム５の突起部２４でクリック感付与部材５５の回動板５９を上下方向に回動させるようにしたが、これに限らず、例えば図３６に示す第１変形例のように、鍵２の後端部に突起部２７を設け、この突起部２７でクリック感付与部材５５の回動板５９を上下方向に回動させるようにしてもよい。この場合には、鍵盤シャーシ１の後端部１ｂ上に支持部材２８を設け、この支持部材２８にクリック感付与部材５５の取付体５７を取り付ければ良い。このようにしても、第５実施形態と同様の作用効果があることは言うまでもない。
【００５５】
また、上記第５実施形態では、クリック感付与部材５５を鍵盤シャーシ１側に設けた場合について述べたが、これに限らず、例えば図３７に示す第２変形例のように、クリック感付与部材５５をハンマーアーム５の後端部に取り付け、鍵盤シャーシ１の後端部１ｂに回動板５９の自由端５９ａに当接して回動板５９を上下方向に回動させる突起部材３１を設けた構成でも良い。この場合には、クリック感付与部材５５を上下反転、つまり回動板５９の下側に第１弾性体６０を配置し、回動板５９の上方に第２弾性体６１を配置させた状態で、ハンマーアーム５の後端部に取り付ければ良い。このようにしても、第５実施形態とほぼ同様の作用効果があることは言うまでもない。
【００５６】
さらに、上記第２変形例に限らず、例えば図３８に示す第３変形例のように、クリック感付与部材５５を鍵２の後端部に取り付け、鍵盤シャーシ１の後端部１ｂ上に支持部材２８を設け、この支持部材２８に回動板５９の自由端５９ａに当接して回動板５９を上下方向に回動させる突起部３２を設けた構成でも良い。この場合にも、第２変形例と同様、クリック感付与部材５５を上下反転させて鍵２の後端部に取り付ければ良い。このようにしても、第２変形例と同様の作用効果があることは言うまでもない。
【００５７】
以上説明したように、請求項１及び２記載の発明によれば、押鍵時に鍵が下方に回動する行き行程では、クリック感付与部材の弾性体が支点部に当接して弾性体の撓み変形が規制され、また鍵が上方に回動する戻り行程では、クリック感付与部材の弾性体が支点部から離間して弾性体の撓み変形が支点部によって規制されないため、行き行程では弾性体が鍵に対し大きい反発力を付与し、戻り行程では弾性体が鍵に対し小さい反発力を付与することになり、これにより押鍵時の行き行程で鍵に抜ける感じの鍵タッチ感を付与することができ、戻り行程では鍵に対するクリック感が大幅に軽減されるため、アコースティックピアノの鍵タッチ感に近似した鍵タッチ感を得ることができる。
【００５９】
請求項３及び４記載の発明によれば、押鍵時に鍵が下方に回動する行き行程では、第１、第２弾性体の両者が重なり合った状態で撓み変形し、鍵が上方に回動する戻り行程では、第１、第２弾性体のいずれか一方のみが撓み変形するので、行き行程では鍵に対し大きい反発力が付与され、戻り行程では鍵に対し小さい反発力が付与されることになり、これにより押鍵時の行き行程で鍵に抜ける感じの鍵タッチ感を付与することができ、戻り行程では鍵に対するクリック感が大幅に軽減されるため、アコースティックピアノの鍵タッチ感に近似した鍵タッチ感を得ることができる。
【００６０】
請求項５及び６記載の発明によれば、押鍵時に鍵が下方に回動する行き行程では、弾性体が回動して支点部に当接し、この支点部によって弾性体の撓み変形が規制され、鍵が上方に回動する戻り行程では、弾性体が逆方向に回動して弾性体よりも反発力の小さい緩衝体に当接し、弾性体が弾性変形せずに緩衝体のみを弾性変形させるので、行き行程では鍵に対し大きい反発力が付与され、戻り行程では鍵に対し小さい反発力が付与されることになり、これにより押鍵時の行き行程で鍵に抜ける感じの鍵タッチ感を付与することができ、戻り行程では鍵に対するクリック感が大幅に軽減されるため、アコースティックピアノの鍵タッチ感に近似した鍵タッチ感を得ることができる。
【００６１】
請求項７及び８記載の発明によれば、押鍵時に鍵が下方に回動する行き行程では、回動体が第１弾性体に当接して、第２弾性体よりも反発力の大きい第１弾性体を弾性変形させ、鍵が上方に回動する戻り行程では、回動体が第２弾性体に当接して、第１弾性体よりも反発力の小さい第２弾性体を弾性変形させるので、行き行程では鍵に対し大きい反発力が付与され、戻り行程では鍵に対し小さい反発力が付与されることになり、これにより押鍵時の行き行程で鍵に抜ける感じの鍵タッチ感を付与することができ、戻り行程では鍵に対するクリック感が大幅に軽減されるため、アコースティックピアノの鍵タッチ感に近似した鍵タッチ感を得ることができる。
【図面の簡単な説明】
【図１】この発明の鍵盤装置の第１実施形態を示した断面図。
【図２】図１のクリック感付与部材を示し、（ａ）はその拡大断面図、（ｂ）はその板ばねの撓み変形を原理的に説明するための図。
【図３】図１の鍵を押鍵して鍵が下方に回動する行き行程におけるクリック感付与部材の動作状態を示し、（ａ）はハンマーアームの突起部が板ばねの自由端に下方から当接した状態を示した図、（ｂ）はハンマーアームの突起部が板ばねを押し上げた状態を示した図、（ｃ）はハンマーアームの突起部が板ばねを乗り越えた状態を示した図。
【図４】図１の鍵が上方に回動する戻り行程におけるクリック感付与部材の動作状態を示し、（ａ）はハンマーアームの突起部が板ばねの自由端に上方から当接した状態を示した図、（ｂ）はハンマーアームの突起部が板ばねを押し下げた状態を示した図。
【図５】図１の鍵盤装置における鍵ストロークに対する鍵荷重の特性を示した図。
【図６】第１実施形態の第１変形例を示した図。
【図７】第１実施形態の第２変形例を示した図。
【図８】第１実施形態の第３変形例を示した図。
【図９】第１実施形態の第４変形例を示した図。
【図１０】この発明の鍵盤装置の第２実施形態を示した断面図。
【図１１】図１０のクリック感付与部材を示した拡大断面図。
【図１２】図１０の鍵を押鍵したときのクリック感付与部材の動作状態を示し、（ａ）は鍵が下方に回動する行き行程においてハンマーアームの突起部が板ばねの自由端に下方から当接した状態を示した図、（ｂ）はハンマーアームの突起部が板ばねを押し上げた状態を示した図、（ｃ）はハンマーアームの突起部が板ばねを乗り越えた状態を示した図、（ｄ）は鍵が上方に回動する戻り行程においてハンマーアームの突起部が板ばねの自由端に上方から当接して板ばねを押し下げる状態を示した図。
【図１３】図１０の第２実施形態における鍵盤装置の鍵ストロークに対する鍵荷重の特性を示した図。
【図１４】第２実施形態の第１変形例を示した図。
【図１５】第２実施形態の第２変形例を示した図。
【図１６】第２実施形態の第３変形例を示した図。
【図１７】この発明の鍵盤装置の第３実施形態を示した断面図。
【図１８】図１７のクリック感付与部材を示し、（ａ）はその拡大断面図、（ｂ）はその分解斜視図。
【図１９】図１７の鍵を押鍵したときのクリック感付与部材の動作状態を示し、（ａ）は鍵が下方に回動する行き行程においてハンマーアームの突起部が第１板ばね部の自由端に下方から当接した状態を示した図、（ｂ）はハンマーアームの突起部が第１、第２板ばね部を押し上げた状態を示した図、（ｃ）は鍵が上方に回動する戻り行程においてハンマーアームの突起部が第１板ばね部の自由端に上方から当接して第１板ばね部を押し下げた状態を示した図。
【図２０】図１７の第３実施形態における鍵盤装置の鍵ストロークに対する鍵荷重の特性を示した図。
【図２１】第３実施形態の第１変形例を示した図。
【図２２】第３実施形態の第２変形例を示した図。
【図２３】第３実施形態の第３変形例を示した図。
【図２４】第３実施形態の第４変形例を示した図。
【図２５】第３実施形態の第５変形例を示した図。
【図２６】この発明の鍵盤装置の第４実施形態を示した断面図。
【図２７】図２６のクリック感付与部材を示した拡大断面図。
【図２８】図２６の鍵を押鍵したときのクリック感付与部材の動作状態を示し、（ａ）は鍵が下方に回動する行き行程においてハンマーアームの突起部が板ばねの自由端に下方から当接した状態を示した図、（ｂ）はハンマーアームの突起部が板ばねを押し上げた状態を示した図、（ｃ）はハンマーアームの突起部が板ばねを乗り越えた状態を示した図、（ｄ）は鍵が上方に回動する戻り行程においてハンマーアームの突起部が板ばねの自由端に上方から当接して板ばねを押し下げた状態を示した図。
【図２９】図２６の第４実施形態における鍵盤装置の鍵ストロークに対する鍵荷重の特性を示した図。
【図３０】第４実施形態の第１変形例を示した図。
【図３１】この発明の鍵盤装置の第５実施形態を示した断面図。
【図３２】図３１のクリック感付与部材を示した拡大断面図。
【図３３】図３１の鍵を押鍵したときに鍵が下方に回動する行き行程におけるクリック感付与部材の動作状態を示し、（ａ）はハンマーアームの突起部が回動板の自由端に下方から当接した状態を示した図、（ｂ）はハンマーアームの突起部が回動板を押し上げた状態を示した図、（ｃ）はハンマーアームの突起部が回動板の自由端を乗り越えた状態を示した図。
【図３４】図３１の鍵が上方に回動する戻り行程におけるクリック感付与部材の動作状態を示し、（ａ）はハンマーアームの突起部が回動板の自由端に上方から当接した状態を示した図、（ｂ）はハンマーアームの突起部が回動板を押し下げた状態を示した図。
【図３５】図２６の第４実施形態における鍵盤装置の鍵ストロークに対する鍵荷重の特性を示した図。
【図３６】第５実施形態の第１変形例を示した図。
【図３７】第５実施形態の第２変形例を示した図。
【図３８】第５実施形態の第３変形例を示した図。
【図３９】従来の鍵盤装置を示した断面図。
【図４０】図３９の従来のクリック感付与部材を示した拡大断面図。
【図４１】図３９の従来の鍵盤装置の鍵ストロークに対する鍵荷重の特性を示した図。
【符号の説明】
１  鍵盤シャーシ
２  鍵
３  鍵支持部
４  軸
５  ハンマーアーム
20、30、35、40、46、55  クリック感付与部材
２３、３８、５０  板ばね
23a、38a、43a、50a、59a  自由端
２４  ハンマーアームの突起部
２５  第１支点部
２６  第２支点部
３１  突起部材
３２  突起部
４３  第１板ばね部
４４  第２板ばね部
５１  支点部
５２  緩衝体
５９  回動板
６０  第１弾性体
６１  第２弾性体
【図１】
0003767153.tif 000002
【図２】
0003767153.tif 000003
【図３】
0003767153.tif 000004
【図４】
0003767153.tif 000005
【図５】
0003767153.tif 000006
【図６】
0003767153.tif 000007
【図７】
0003767153.tif 000008
【図８】
0003767153.tif 000009
【図９】
0003767153.tif 000010
【図１０】
0003767153.tif 000011
【図１１】
0003767153.tif 000012
【図１３】
0003767153.tif 000013
【図１２】
0003767153.tif 000014
【図１４】
0003767153.tif 000015
【図１５】
0003767153.tif 000016
【図１６】
0003767153.tif 000017
【図１７】
0003767153.tif 000018
【図１８】
0003767153.tif 000019
【図１９】
0003767153.tif 000020
【図２０】
0003767153.tif 000021
【図２１】
0003767153.tif 000022
【図２２】
0003767153.tif 000023
【図２３】
0003767153.tif 000024
【図２４】
0003767153.tif 000025
【図２５】
0003767153.tif 000026
【図２６】
0003767153.tif 000027
【図２７】
0003767153.tif 000028
【図２９】
0003767153.tif 000029
【図２８】
0003767153.tif 000030
【図３０】
0003767153.tif 000031
【図３１】
0003767153.tif 000032
【図３２】
0003767153.tif 000033
【図３５】
0003767153.tif 000034
【図３３】
0003767153.tif 000035
【図３４】
0003767153.tif 000036
【図３６】
0003767153.tif 000037
【図３７】
0003767153.tif 000038
【図３８】
0003767153.tif 000039
【図３９】
0003767153.tif 000040
【図４０】
0003767153.tif 000041
【図４１】
0003767153.tif 000042